(57)【要約】【課題】エレベーターの非常救出手動運転時にかごの到達を確認するためのロープマークの塗布を乗場から遠隔操作可能にする。【解決手段】所定階の乗場６に昇降路１に通じる点検窓７を設け、据付完了時、昇降路１内に塗料噴射器１０を設置し、塗装噴射器１０の噴射ボタンと乗場６とをワイヤチューブ１６に通したワイヤ１７で連結する。この後、かごを階床の戸開ゾーンに停止させて、乗場６で引きボタン１８を引けば、塗料噴射器１０の噴射ボタンが動作して、塗料１１が噴射し、カバナロープ５に塗布される。この作業を全階について実施する。このカバナロープ５の塗布長さは、乗客が完全に降車可能な段差を考慮して設定する。また、これらの作業は点検窓７からの目視により実施する。【選択図】      図１
2005008325.tif 000002
【特許請求の範囲】
【請求項１】
かごを駆動・制御する巻上機、主索、調速機、カバナロープその他の機器のうち、少なくとも上記調速機が昇降路内に配置されたエレベーターにおいて、所定階の乗場に上記昇降路に通じる点検窓を設け、上記昇降路内に、上記所定階の乗場からの操作により動作して上記ガバナロープ又は上記主索に対して塗料を吹き付ける塗料噴射装置を設置し、上記塗料の吹付け位置は、上記かごの停止階に対応し、かつ上記点検窓から目視可能な位置に設定したことを特徴とするエレベーターのロープマーキング装置。
【請求項２】
塗料噴射装置を、噴射ボタンが操作されると塗料を噴射する塗料噴射器と、一端が上記噴射ボタンに係合し、他端が乗場に延在して上記他端が引かれると上記一端が上記噴射ボタンを操作する操作体とで構成したことを特徴とする請求項１記載のエレベーターのロープマーキング装置。
【請求項３】
塗料噴射装置を、噴射ボタンが操作されると塗料を噴射する塗料噴射器と、付勢されると上記噴射ボタンを操作する電磁石と、この電磁石に接続されて乗場に設けられ操作されると上記電磁石を付勢する操作スイッチとで構成したことを特徴とする請求項１記載のエレベーターのロープマーキング装置。
【請求項４】
かごを駆動・制御する巻上機、主索、調速機、カバナロープその他の機器のうち、少なくとも上記調速機が昇降路内に配置されたエレベーターにおいて、上記昇降路内に塗料噴射器を設置するステップと、乗場に設けられた点検口から目視して、上記塗料噴射器を操作して上記ガバナロープ又は上記主索の上記かごの停止階に対応する位置に塗料を吹き付けるステップとを備えたことを特徴とするエレベーターのロープマーキング方法。
【発明の詳細な説明】
【０００１】
【発明の属する技術分野】
この発明は、エレベーターの救出運転時に、かごの到達を確認するためのロープマークを塗布する装置に関するものである。
【０００２】
【従来の技術】
停電、故障などの非常時に、かご内の乗客を救出するため、非常救出手動運転を実施する際、かご内荷重を検出し、かごがつり合おもりよりも重い場合は、巻上機のブレーキを解放することによりかごを下降させ、反対にかごが軽い場合はかごを上昇させて、かごを最寄り階まで移動させるようにしている。この場合、昇降路内に巻上機が設置されたエレベーターでは、保守員は昇降路内に入ってブレーキ解放及び巻上機手巻作業を行わなければならない。
【０００３】
従来のエレベーター用巻上機のブレーキ解放手巻装置においては、昇降路内での作業を避けるため、巻上機の軸と共に回転するディスクパッドに弾性体によって圧接されブレーキ力を発生しているブレーキアマチュアを前記ディスクパッドから離間させるブレーキ解放力を伝達するケーブルと、このケーブルの昇降路外部に伸びる端部に設けられて前記ブレーキ解放力を発生する解放レバーと、前記巻上機の軸に回転力を伝達するフレキシブルシャフトと、フレキシブルシャフトの昇降路外部に伸びる端部に取付られ前記回転力を発生するハンドルとで構成されている。（例えば、特許文献１）。
【０００４】
【特許文献１】
特開平２−３３０８０号公報（特許請求の範囲、第１図、第２図）
【０００５】
【発明が解決しようとする課題】
上記のような従来のエレベーター用巻上機のブレーキ解放手巻装置では、ブレーキの解放操作と巻上機の軸の回転操作を、乗場から実施することはできるが、かごが最寄り階の戸開ゾーン（戸開閉が可能な位置範囲）に到達したかを簡単に確認することは困難であるという問題点がある。
【０００６】
この発明は上記問題点を解消するためになされたもので、かごの到達を確認するための作業を乗場から簡単にできるようにしたエレベーターのロープマーキング装置及びそのマーキング方法を提供することを目的とする。
【０００７】
【課題を解決するための手段】
この発明に係るエレベーターのロープマーキング装置においては、所定階の乗場に昇降路に通じる点検窓を設け、昇降路内に、所定階の乗場からの操作により動作してカバナロープ又は主索に対して塗料を吹き付ける塗料噴射装置を設置し、この塗料の吹付位置をかごの停止階に対応し、かつ点検窓から目視可能な位置に設定したものである。
【０００８】
（また、エレベーターのロープマーキング方法においては、昇降路内に塗料噴射器を設置するステップと、乗場に設けられた点検口から目視して、塗料噴射器を操作してカバナロープ又は主索のかご停止階に対応する位置に塗料を吹き付けるステップとを備えたものである。）
【０００９】
【発明の実施の形態】
実施の形態１．
図１及び図２はこの発明の第１、第２及び第４発明の一実施の形態を示す図で、図１は昇降路縦断面図、図２は塗料噴射装置部分の拡大図であり、図中同一符号は同一部分を示す。（以下の実施の形態も同じ。）
【００１０】
図において、エレベーターの昇降路１内に、かご（図示しない）の昇降を案内するガイドレール２が立設され、ガイドレール２の上部に取付ブラケット３を介して調速機４が設置されている。調速機４の綱車にはカバナロープ５が無端状に巻き掛けられ、このカバナロープ５は昇降路１下部に設置された張り車（図示しない）により下方への張力が与えられている。このカバナロープ５の一側はかごに固定されており、かごの昇降に同期して移動するようにしてある。
【００１１】
一方、乗場６には昇降路１に通じる点検窓７が設けられている。そして、ガイドレール２に取付腕８が固定され、この取付腕８に保持具９を介して塗料噴射器１０が取り付けられている。この塗料噴射器１０の取付け高さは、乗場６の点検窓７の位置に合わせてあり、その噴射口１０ａはカバナロープ５に塗料１１を噴射可能な位置と向きに設定されている。また、保持具９には軸１２によりレバー１３が枢持されている。
【００１２】
そして、レバー１３は引張りコイルばね１４により、軸１２を中心として図２の時計方向へ付勢され、レバー１３の他端は塗料噴射器１０の噴射レバー１５から離れている。昇降路１の壁面には途中数箇所が適宜固定されたワイヤチューブ１６が配設され、これにワイヤ１７が挿通されている。ワイヤチューブ１６の一端は保持具９に固定され、ワイヤ１７の一端はレバー１３に固定され、ワイヤチューブ１６の他端は点検窓７から乗場６側へ引き出され、ワイヤ１７の他端には引きボタン１８が接続されている。
【００１３】
ここで、レバー１３、ワイヤチューブ１６、ワイヤ１７及び引きボタン１８は操作体を構成し、塗料噴射器１０と上記操作体とで塗料噴射装置を構成している。
【００１４】
次に、この実施の形態よる作業手順及び操作を説明する。
エレベーターの据付完了時に塗料噴射器１０を保持具９内に設置し、カバナロープ５に対して塗料１１を噴射可能な位置と向きに設定して、保持具９ごと取付腕８を介してガイドレール２に固定する。このとき、取付高さは、乗場６の点検窓７の高さに合わせる。
【００１５】
更に、ワイヤチューブ１６を昇降路１の壁面に固定し、ワイヤ１７の一端をレバー１３に固定する。また、ワイヤチューブ１６の他端を点検窓７から乗場６側へ引き出しておく。
この後、かごを階床の戸開ゾーン内に停止させて、乗場６で引きボタン１８を引けば、ワイヤ１７はレバー１３を図２の反時計方向へ回動し、レバー１３の他端は噴射レバー１５を押し下げるため、塗料１１が噴射されて、カバナロープ５に塗布される。引きボタン１８を引くのを止めると、引張りコイルばね１４の力により、レバー１３は時計方向へ回動し、噴射レバー１５は復旧して塗布は終了する。
【００１６】
上記の作業は、かごを全階床の戸開ゾーンに停止させて、実施される。また、カバナロープ５の塗布長さは、乗客が安全に降車できる段差を考慮して設定すればよい。作業終了後、塗料噴射器１０は取り外しても、そのままにしておいてもよい。しかし、ワイヤチューブ１６、ワイヤ１７及び引きボタン１８は取り外しておく。
【００１７】
このようにして、かごに各階の呼びを登録して、かごが停止するごとに、又は乗場６でかごが各階の戸開ゾーンにあることを確認できる点検装置がある場合には、かごが戸開ゾーンを認識するごとに、点検窓７から見える高さのカバナロープ５に、遠隔操作でマーキングが可能となる。したがって、作業者は特別な足場を設置したり、かご上から各階床間隔を注意しながらかごを移動させたりすることなく、乗場６から容易にカバナロープ５のマーキング作業を実施することが可能となる。
【００１８】
実施の形態２．
図３はこの発明の第３発明の一実施の形態を示す塗料噴射装置部分の拡大図で図２相当図である。
この実施の形態は、実施の形態１のものが塗料噴射器１０を乗場６からワイヤ１７を引いて動作させるのを、スイッチ操作によって動作させるようにしたものである。
図において、保持器９には、塗料噴射器１０の上方に配置された電磁石２１と、この電磁石２１により移動する鉄心２２と、この鉄心２２を上方向へ付勢する圧縮コイルばね２３が設けられている。
【００１９】
乗場６側には操作スイッチとして押ボタンスイッチ２４が設けられ、電線２５により電磁石２１に接続されこれらは電源２６に接続されている。
すなわち、電磁石２１が付勢されていないときは、鉄心２２は圧縮コイルばね２３により塗料噴射器１０の噴射ボタンから離れている。そして、押ボタンスイッチ２４が押されると、電磁石２１が付勢され、鉄心２２は圧縮コイルばね２３の力に抗して下降し、塗料噴射器１０の噴射ボタンを押圧するので、塗料１１が噴射されて、カバナロープ５に塗布される。
【００２０】
このようにして、塗料噴射器１０を電磁石２１で動作させるようにしたものであり、実施の形態１と同様の効果があるとともに、塗料噴射器１０と押ボタンスイッチ２４とは電線２５で接続されているため、据付持の距離的な調節や電線２５の取回しの自由度を高くすることが可能となる。
【００２１】
なお、上記各実施の形態では、かごを駆動・制御する巻上機、主索、調速機４、カバナロープ５その他の機器がすべて昇降路１内に配置されたエレベーターに適用するものとしたが、上記機器の内少なくとも調速機４（カバナロープ５を含む）が昇降路１内に配置されたエレベーターにも適用可能であることは明白である。
【００２２】
【発明の効果】
以上説明したとおりこの発明では、昇降路内に塗料噴射装置を設置し、これを所定階の乗場から操作してカバナロープ又は主索のかご停止階に対応する位置に塗料を吹き付けるようにしたので、作業者は特別な足場を設置したり、かご上からかごを移動させたりすることなく、乗場から容易にマーキング作業をすることができる。
【図面の簡単な説明】
【図１】この発明の実施の形態１を示す昇降路縦断面図。
【図２】図１の塗料噴射装置部分の拡大図。
【図３】この発明の実施の形態２を示す塗料噴射装置部分の拡大図で、図２相当図。
【符号の説明】
１  昇降路、４  調速機、５  カバナロープ、６  乗場、７  点検窓、１０  塗料噴射器、１１  塗料、１２  軸、１３  レバー、１４  引張りコイルばね、１５  噴射レバー、１６  ワイヤチューブ、１７  ワイヤ、１８  引きボタン、２１  電磁石、２２  鉄心、２３  圧縮コイルばね、２４  押ボタンスイッチ。
【図１】
2005008325.tif 000003
【図２】
2005008325.tif 000004
【図３】
2005008325.tif 000005